(57)【要約】【課題】ユーザが行った操作に基づいて、駆動機器の種類に応じた処理を１台で実現する汎用的な拡張ユニットを備えることによって、臨場感溢れ、ゲームの興趣を更に高めた遠隔操作玩具を提供する。【解決手段】ユーザによる動作指示を含む制御信号４を送信するコントローラ２と、その制御信号４に基づいて駆動制御される駆動機器３と、制御信号４を受信可能な拡張ユニット５とを含む遠隔操作玩具１であって、拡張ユニット５は、ユニット本体６とユニット本体に着脱自在に接続できる信号処理装置７とを有し、ユニット本体６では、受信した制御信号４を信号処理装置７へ出力し、信号処理装置７から出力される指示信号に基づいた処理を行い、信号処理装置７では、ユニット本体６から出力された制御信号４に含まれる動作指示の内容を判断し、その内容に応じた処理に基づいた指示信号をユニット本体６へ出力する。【選択図】      図２
2004261238.tif 000002
【特許請求の範囲】
【請求項１】
ユーザの操作に応じた動作指示を含む制御信号を送信するコントローラと、その制御信号に基づいて駆動制御される駆動機器と、前記制御信号を受信可能な拡張ユニットと、を含み、
前記拡張ユニットは、ユニット本体と、そのユニット本体の外部に着脱自在に接続できる信号処理装置と、を有し、
前記ユニット本体には、
前記制御信号を受信する信号受信部と、
受信した前記制御信号を前記信号処理装置へ出力する端子部と、
前記信号処理装置から出力される指示信号に基づいた処理を行う処理実行部と、
が設けられ、
前記信号処理装置には、
前記端子部に接続される接続部と、
前記接続部から入力される前記制御信号に含まれる前記動作指示の内容を判断し、その指示内容に応じた処理を決定する処理決定部と、
その決定された処理に基づいた前記指示信号を作成し、作成された前記指示信号を前記接続部へ出力する指示信号出力部と、
が設けられ、
前記処理実行部は、前記端子部から入力された前記指示信号に基づいて前記決定された処理を行うこと、
を特徴とする遠隔操作玩具。
【請求項２】
前記処理決定部は、前記指示内容に応じた音声に関する処理を決定し、前記信号出力部は前記指示信号に基づいて音声を出力すること、を特徴とする遠隔操作玩具。
【請求項３】
ユーザの操作に応じた動作指示を含む制御信号を送信するコントローラと、その制御信号に基づいて駆動制御される駆動機器とを含む遠隔操作玩具に備えられた前記制御信号を受信可能な拡張ユニットであって、
前記拡張ユニットは、ユニット本体と、そのユニット本体の外部に着脱自在に接続できる信号処理装置と、を有し、
前記ユニット本体には、
前記制御信号を受信する信号受信部と、
受信した前記制御信号を前記信号処理装置へ出力する端子部と、
前記信号処理装置から出力される指示信号に基づいた処理を行う処理実行部と、
が設けられ、
前記信号処理装置には、
前記端子部に接続される接続部と、
前記接続部から入力される前記制御信号に含まれる前記動作指示の内容を判断し、その指示内容に応じた処理を決定する処理決定部と、
その決定された処理に基づいた前記指示信号を作成し、作成された前記指示信号を前記接続部へ出力する指示信号出力部と、
が設けられ、
前記処理実行部は、前記端子部から入力された前記指示信号に基づいて前記決定された処理を行うこと、
を特徴とする拡張ユニット。
【発明の詳細な説明】
【０００１】
【発明の属する技術分野】
本発明は、コントローラから移動体に制御信号を送信して移動体を制御する遠隔操作玩具に関する。
【０００２】
【従来の技術】
複数のコントローラから送信された制御信号に基づいて、各コントローラに組み合わされた駆動機器が駆動する遠隔操作玩具は、すでに多くのものが知られている。コントローラには、組み合わされた駆動機器に対する制御情報が含められており、その情報によって、例えば走行する駆動機器に対して、駆動機器の走行方向や走行速度などの走行に関する動作の調節が可能である。
【０００３】
【発明が解決しようとする課題】
しかし、これら従来の遠隔操作玩具においては、制御信号はコントローラから無音で、かつ不可視に送信されるため、操作に対するリアリティ感が乏しかった。また、対戦ゲームであっても、ゲームが無音のまま進行するため、場の盛り上がりに欠けていた。また、より臨場感を高めるためには駆動機器の種類によって異なることが望ましいが、駆動機器ごとに演出用の機器を用意することは設置場所や費用の問題がある。
【０００４】
そこで、本発明は、ユーザが行った操作に基づいて、駆動機器の種類に応じた処理を１台で実現する汎用的な拡張ユニットを備えることによって、臨場感溢れ、ゲームの興趣を更に高めた遠隔操作玩具を提供することを目的とする。
【０００５】
【課題を解決するための手段】
以下、本発明について説明する。なお、本発明の理解を容易にするために添付図面の参照符号を括弧書きにて付記するが、それにより本発明が図示の形態に限定されるものではない。
【０００６】
本発明の遠隔操作玩具（１）は、ユーザの操作に応じた動作指示を含む制御信号（４Ａ、４Ｂ，４Ｃ、４Ｄ）を送信するコントローラ（２Ａ、２Ｂ、２Ｃ，２Ｄ）と、その制御信号に基づいて駆動制御される駆動機器（３Ａ、３Ｂ、３Ｃ、３Ｄ）と、前記制御信号を受信可能な拡張ユニット（５）と、を含み、前記拡張ユニットは、ユニット本体（６）と、そのユニット本体の外部に着脱自在に接続できる信号処理装置（７）と、を有し、前記ユニット本体には、前記制御信号を受信する信号受信部（１１）と、受信した前記制御信号を前記信号処理装置へ出力する端子部（８ａ）と、前記信号処理装置から出力される指示信号に基づいた処理を行う処理実行部（１２、１３、１４、１８）と、が設けられ、前記信号処理装置には、前記端子部に接続される接続部（７ａ）と、前記接続部から入力される前記制御信号に含まれる前記動作指示の内容を判断し、その指示内容に応じた処理を決定する処理決定部（１５）と、その決定された処理に基づいた前記指示信号を作成し、作成された前記指示信号を前記接続部へ出力する指示信号出力部（１６）と、が設けられ、前記処理実行部は、前記端子部から入力された前記指示信号に基づいて前記決定された処理を行うことにより、上記の課題を解決する。
【０００７】
本発明の遠隔操作玩具によれば、ユーザの操作に応じてコントローラから駆動機器へ送信された制御信号は、拡張ユニットでも受信され、駆動機器と同様に拡張ユニットにおいてもその制御信号に含まれる駆動機器への指示内容が解読され、その指示内容に基づいた処理が行われる。本発明では、特に、この拡張ユニットをユニット本体とこのユニット本体に着脱可能な信号処理装置とで構成し、ユニット本体では、制御信号の受信と、処理の実行のみを行わせ、信号処理装置にて駆動機器への指示内容を判断させ、その指示内容に応じた処理を決定させる。従って、駆動機器の種類が複数ある場合でも、操作する駆動機器へのコントローラからの指示内容を解読可能な信号処理装置をユニット本体に接続すれば、その駆動機器の種類に応じた処理を信号処理装置で決定し、ユニット本体で実行させることができる。すなわち、着脱可能な指示内容を解読するのは信号処理装置側であるから、ユーザは操作したい駆動機器の種類に応じて、その制御信号を解読可能な信号処理装置を接続すればよい。更に、信号処理装置が接続されるのはユニット本体の外部であるから、容易に信号処理装置を着脱できる。
【０００８】
前記処理決定部は、前記指示内容に応じた音声に関する処理を決定し、前記信号出力部は前記指示信号に基づいて音声を出力することであってもよい。これによって、ユーザの操作に対応する演出効果として音声が拡張ユニットから出力される。
【０００９】
本発明の拡張ユニット（５）は、ユーザの操作に応じた動作指示を含む制御信号（４Ａ、４Ｂ、４Ｃ、４Ｄ）を送信するコントローラ（２Ａ、２Ｂ、２Ｃ、２Ｄ）と、その制御信号に基づいて駆動制御される駆動機器（３Ａ、３Ｂ、３Ｃ、３Ｄ）とを含む遠隔操作玩具（１）に備えられた前記制御信号を受信可能な拡張ユニットであって、前記拡張ユニットは、ユニット本体（６）と、そのユニット本体の外部に着脱自在に接続できる信号処理装置（７）と、を有し、前記ユニット本体には、前記制御信号を受信する信号受信部（１１）と、受信した前記制御信号を前記信号処理装置へ出力する端子部（８ａ）と、前記信号処理装置から出力される指示信号に基づいた処理を行う処理実行部（１２、１３、１４、１８）と、が設けられ、前記信号処理装置には、前記端子部に接続される接続部（７ａ）と、前記接続部から入力される前記制御信号に含まれる前記動作指示の内容を判断し、その指示内容に応じた処理を決定する処理決定部（１５）と、その決定された処理に基づいた前記指示信号を作成し、作成された前記指示信号を前記接続部へ出力する指示信号出力部（１６）と、が設けられ、前記処理実行部は、前記端子部から入力された前記指示信号に基づいて前記決定された処理を行うこと、により上記課題を解決する。この拡張ユニットによって請求項１の遠隔操作玩具が実現できる。
【００１０】
【発明の実施の形態】
図１は本発明の実施形態の一例を示す遠隔操作玩具１である。複数のコントローラ２Ａ、２Ｂ、２Ｃ、２Ｄは駆動機器としての自動車モデル３Ａ、３Ｂ、３Ｃ、３Ｄにそれぞれ１対１に組み合わされている。各コントローラ２Ａ、２Ｂ、２Ｃ、２Ｄから、組み合わされた各自動車モデル３Ａ、３Ｂ、３Ｃ、３Ｄへ向けて制御信号４Ａ、４Ｂ、４Ｃ、４Ｄが送信される。拡張ユニット５は、この制御信号４Ａ、ＡＢ、４Ｃ、４Ｄを受信可能な場所に配置される。以下、コントローラ２Ａ〜コントローラ２Ｄを特に区別する必要がない場合はコントローラ２といい、自動車モデル３Ａ〜自動車モデル３Ｄを特に区別する必要がない場合は自動車モデル３といい、制御信号４Ａ〜制御信号４Ｄを特に区別する必要がない場合は制御信号４という。
【００１１】
本実施形態では、コントローラ２から送信される制御信号４の送信手段として赤外線を利用する。自動車モデル３とその自動車モデル３に組み合わされたコントローラ２は同一のＩＤ番号を有している。コントローラ２は自己のＩＤ番号を含ませた制御信号４を送信し、自動車モデル３は受信した制御信号４に自己のＩＤ番号と同一のＩＤ番号が含まれている場合に自己への制御信号４として判断する。従って、制御信号４には、組み合わされた自動車モデル３を識別するためのＩＤ番号とユーザによる動作指示としての制御情報とが含まれる。また、混線を防ぐために、各コントローラ２は送信タイミングを互いに調整しあう。本実施形態においては、このＩＤ番号は１〜４まで用意され、一度に最大４台の自動車モデル３を走行させることができるが、ＩＤ番号の数はこれに限らない。
【００１２】
拡張ユニット５は、ユニット本体６と信号処理装置としてのカード状の車体別カートリッジ７とで構成される。ユニット本体６には、車体別カートリッジ７が着脱自在なスロット８Ａ、８Ｂ、８Ｃ、８Ｄが設けられている。以下、スロット８Ａ〜スロット８Ｄを特に区別する必要がない場合はスロット８という。また、車体別カートリッジ７はスロット８へ差し込むことにより、ユニット本体６へ装着される。
【００１３】
車体別カートリッジ７は、操作する各自動車モデル３につき１枚が対応する。
【００１４】
各スロット８は上述したＩＤ番号にユニークに設定されている。例えば、ＩＤ番号１にスロット８Ａが、ＩＤ番号２にスロット８Ｂが、ＩＤ番号３にスロット８Ｃが、ＩＤ番号４にスロット８Ｄがそれぞれ設定されている場合、自動車モデル３Ａに対応させる車体別カートリッジ７は、この自動車モデル３ＡのＩＤ番号が４であるときは、ＩＤ番号４に設定されているスロット８Ｄに、この車体別カートリッジ７を設置する。その他の自動車モデル３に対応する車体別カートリッジ７についても、同様にして、その対応する自動車モデル３のＩＤ番号と同じＩＤ番号に設定されているスロット８に設置する。
【００１５】
本実施形態においてスロット８は４箇所設けられているが、同時に遠隔操作可能な自動車モデル３の数に応じて変更してよい。また、各スロット８に対応するＩＤ番号をユーザが設定できるように、各スロット８に対応するＩＤ番号設定スィッチをユニット本体６に設けてもよい。本実施形態では車体別カートリッジ７はカード型であり、スロット８はカードが差し込み可能な形状であるが、これらの形状は互いに着脱自在に接続可能であればこれに限らない。
【００１６】
次に、自動車モデル３への操作に対応する処理として音声が出力される場合を例にして図２に示す機能ブロック図を用いて、ユニット本体６及び車体別カートリッジ７それぞれに設けられた各部について説明する。（ａ）はユニット本体６の機能ブロック図であり、（ｂ）は車体別カートリッジ７の機能ブロック図である。
【００１７】
ユニット本体６には、（ａ）に示すように、直流交流を問わずユニット本体６及び車体別カートリッジ７への電気の供給する電源回路１０、コントローラ２からの制御信号４を受信する信号受信部としてＩＲ受光部１１、車体別カートリッジを装着するためのスロット８、及び処理実行部として各車体別カートリッジ７にて作成された出力用音声信号を合成するための音声ＭＩＸ回路１２、合成された音声を出力するためのアンプ回路１３及びスピーカー１４が備えられている。スロット８には、ユニット本体６に装着された車体別カートリッジ７と信号の入出力を行う端子部８ａが設けられている。
【００１８】
車体別カートリッジ７には、（ｂ）に示すように、端子部８ａに接続される接続部７ａ、処理決定部としての制御部１５、及び指示信号出力部としての音声出力回路１６が設けられている。なお、制御部１５はＣＰＵその他その動作に必要なＲＡＭ、ＲＯＭ等の各種周辺回路を備えたコンピュータとして構成される。
【００１９】
コントローラ２から送信された制御信号４が受信され、その制御信号４に基づいた音声が出力されるまでの上述した各部の処理について説明する。ＩＲ受光部１１は制御信号４を受信すると、各スロット８へその制御信号４を送る。その制御信号４は、端子部８ａから各スロット８に装着された車体別カートリッジ７の接続部７ａを経て制御部１５へ送られる。
【００２０】
制御部１５では、対応する自動車モデル３への制御信号４であると判断した場合に、その制御信号４に含まれる制御情報が解読される。制御信号４に含まれるＩＤ番号が装着されているスロット８のＩＤ番号と一致した場合に、その制御信号４を対応する自動車モデル３への制御信号４であると判断する。また、制御情報を解読するとは、駆動機器と同様の方法で、ユーザの指示内容を判別することである。指示内容としては、例えば、自動車モデル３のように駆動機器が走行モデルの場合は、「加速」「減速」「カーブ」等がある。制御情報が解読されると、ユーザの指示内容に適応した音声を作成するための音声データ作成命令の信号を音声出力回路１６へ出力する。音声出力回路１６では、その音声データ作成命令に従って、出力用音声信号を作成し、接続部７ａへ出力する。その出力用音声信号は、端子部８ａを介して音声ＭＩＸ回路１２へ入力される。ＦＭ音源、ＰＣＭ音源など音源は問わない。
【００２１】
音声ＭＩＸ回路１２では、各端子部８ａから送られて来る出力用音声信号が合成される。合成された出力用音声信号は、アンプ回路１３で音声ボリューム１８の調節を経た後、音声としてスピーカー１４から出力される。
【００２２】
車体別カートリッジ７の制御部１５へユニット本体６から制御信号４が入力された後に制御部１５にて行われる処理の流れは図３に示すフローチャートに従って説明する。
【００２３】
まず、送られてきた制御信号４にその車体別カートリッジ７が装着されたスロット８のＩＤ番号が含まれているか否かが判断される（ステップＳ２０）。制御信号４にその車体別カートリッジ７が設置されたスロット８のＩＤ番号が含まれている場合に、その制御信号４を自己に対応付けられた自動車モデル３への制御信号４であると判断し、その制御信号４の制御内容を解読する（ステップＳ２１）。次に、その制御内容に基づく自動車モデル３の動作を判断し、その動作に適応した音声データ作成命令を作成する（ステップＳ２２）。その音声データ作成命令に従って出力用音声信号が作成され（ステップＳ２３）、作成された出力用音声信号が接続部７ａへ出力される。例えば、制御内容が「加速」である場合は、加速に適したエンジン音の変化やタイヤの軋む音等の出力用音声信号を作成し、ユニット本体６の音声ＭＩＸ回路１２へ出力する。その他制御部１５で作成される音声データとして、車体が風を斬る音や観客の歓声等、またはクラッシュした時のクラッシュ音等がある。
【００２４】
なお、ステップＳ２０にて送られてきた制御信号４にその車体別カートリッジ７が設置されたスロット８のＩＤ番号が含まれていないと判断されたときは、その制御信号４を自己に対応する自動車モデル３への制御信号４ではないと判断して、その制御信号４についての処理を行わない。
【００２５】
本発明は、上述した実施形態に限らず様々な形態にて実施可能である。例えば、車体別カートリッジ７にて行われる、自動車モデル３への動作指示に対応する処理として、聴覚的効果である音声出力の他、発光や所定の映像等の視覚的効果を演出してもよい。
【００２６】
駆動機器３としては、自動車モデル３に限らず、戦車モデルや動物モデル等、コントローラ２によって駆動制御されるものであればよい。その際は、信号処理装置７の制御部１５を、これら駆動機器３が制御される制御情報を解読できるように構成すればよい。出力される音声として、戦車モデルの場合はキャタピラ走行の音や射撃音や爆破音が考えられ、また、動物モデルでは各々に適した鳴き声や足音が考えられる。
【００２７】
また、音声出力回路１６を、自動車モデル３の性能別に用意してもよい。例えば排気量の異なる自動車モデル３はその排気量に応じた音声出力回路１６を有していれば、同じ音声データ作成命令に対しても、その排気量に応じたエンジン音の出力用音声信号を作成するので、各自動車モデル３の性能に応じた効果音が出力可能となる。
【００２８】
また、動作に対応する効果を演出するのは、ユーザによる操作と同時でなくてもよい。例えば、その動作に対応した所定のデータを制御部１５にて記憶しておき、その所定のデータに基づいて所定のタイミングで、所定の処理を行うための信号をユニット本体６へ出力してもよい。
【００２９】
【発明の効果】以上に説明したように、本発明によれば、ユーザが行った操作に基づいて、駆動機器の種類に応じた処理を１台で実現する汎用的な拡張ユニットを備えることによって、臨場感溢れ、ゲームの興趣を更に高めた遠隔操作玩具を提供できる。
【図面の簡単な説明】
【図１】本発明の実施形態の一例を示す図。
【図２】（ａ）は拡張ユニットの機能ブロック図であり、（ｂ）は車体別カートリッジの機能ブロック図。
【図３】車体別カートリッジの制御部が行う処理の流れを示すフローチャート。
【符号の説明】
１            遠隔操作玩具
２            コントローラ
３            自動車モデル
４            制御信号
５            拡張ユニット
６            ユニット本体
７            車体別カートリッジ
７ａ            接続部
８            スロット
８ａ            端子部
１１            ＩＲ受光部
１５            制御部
【図１】
2004261238.tif 000003
【図２】
2004261238.tif 000004
【図３】
2004261238.tif 000005